(57)【要約】【課題】浴室内の温度に応じた運転を選択して行えるようにしたサニタリ空調装置を提供する。【解決手段】浴室換気乾燥暖房機１Ａは、浴室２０１の温度を検知する温度センサ１４ａと、温度センサ１４ａで検知した浴室２０１の温度に基づく温度情報を表示する浴室温度表示部１１ｉ及び温度情報に基づく操作を誘導する操作誘導部を有した操作部１０Ａと、温度センサ１４ａで検知した浴室２０１の温度に基づき、浴室温度表示部１１ｉに温度情報を出力する本体制御部１６ａとを備える。【選択図】    図１Ａ
2020186832.tif 000002
【特許請求の範囲】
【請求項１】
浴室の温度を検知する温度検知手段と、
前記温度検知手段で検知した浴室の温度に基づく温度情報を表示する温度表示部及び温度情報に基づく操作を誘導する操作誘導部とを有する操作手段と
を備えたサニタリ空調装置。
【請求項２】
制御手段を備え、
前記操作手段は、コミュニケーションボタンと、外部の通信ネットワークに接続される通信手段とを有し、
前記制御手段は、前記コミュニケーションボタンが操作されたと判断すると、前記通信手段を介して、前記外部の通信ネットワークに接続される予め設定された外部端末装置に、前記コミュニケーションボタンが操作された旨を通知する
請求項１に記載のサニタリ空調装置。
【請求項３】
コミュニケーションボタン及び外部の通信ネットワークに接続される通信手段を有する操作手段と、
前記コミュニケーションボタンが操作されたと判断すると、前記通信手段を介して、前記外部の通信ネットワークに接続される予め設定された外部端末装置に、前記コミュニケーションボタンが操作された旨を通知する制御手段と
を備えたサニタリ空調装置。
【請求項４】
前記操作手段は、前記コミュニケーションボタンが操作された旨の通知に応じて前記外部端末装置から出力される返信を表示するコミュニケーション情報表示部を有する
請求項３に記載のサニタリ空調装置。
【請求項５】
前記制御手段は、前記コミュニケーションボタンが操作されたと判断すると、前記通信手段を介して、前記外部の通信ネットワークに接続されるサーバを経由して前記外部端末装置に詳細情報を通知する
請求項３または請求項４に記載のサニタリ空調装置。
【請求項６】
前記制御手段は、前記コミュニケーションボタンが操作されたと判断すると、前記外部端末装置との間で一方向または双方向のコミュニケーションを行う
請求項２または請求項３に記載のサニタリ空調装置。
【請求項７】
前記制御手段は、前記コミュニケーションボタンが操作されたと判断すると、浴室の照明の点灯の有無を取得し、浴室の照明の点灯が所定時間継続すると、前記外部端末装置に通知する
請求項３〜請求項６の何れか１項に記載のサニタリ空調装置。
【請求項８】
浴室の温度を検知する温度検知手段を備え、
前記制御手段は、前記コミュニケーションボタンが操作されたと判断すると、前記温度検知手段で検知された浴室の温度に基づく運転の開始、停止を選択する
請求項３〜請求項７の何れか１項に記載のサニタリ空調装置。
【請求項９】
前記制御手段は、前記温度検知手段で検知された浴室の温度を前記外部端末装置に通知する
請求項８に記載のサニタリ空調装置。
【請求項１０】
前記コミュニケーションボタンは、運転の開始、停止が少なくとも選択される運転モードボタンである
請求項３〜請求項９の何れか１項に記載のサニタリ空調装置。
【請求項１１】
前記コミュニケーションボタンは、入浴に関連する通知、挨拶に関連する通知、または、外出に関連する通知が行われるボタンである
請求項３〜請求項９の何れか１項に記載のサニタリ空調装置。
【発明の詳細な説明】
【技術分野】
【０００１】
本発明は、浴室の暖房、浴室及び他室の換気等を行うサニタリ空調装置に関する。
【背景技術】
【０００２】
従来から、浴室の天井等に設置され、浴室等のサニタリ室の暖房、浴室等のサニタリ室及び他室の換気、浴室等のサニタリ室及び浴室内にある被乾燥物の乾燥等の機能を実現したサニタリ空調装置が提案されている。
【０００３】
このようなサニタリ空調装置の一例である浴室換気乾燥暖房機として、暖房運転の指令が与えられると、浴室内の温度を浴室内温度検知手段により監視し、目標温度が維持できるように制御する技術が提案されている（例えば、特許文献１参照）。
【０００４】
また、浴室温度を検出する温度センサを備え、この温度センサで検出した浴室温度を表示する温度表示部を室外操作器に備えた技術が提案されている（例えば、特許文献２参照）。
【０００５】
更に、浴室内に設置したセンサで入浴者の動きを検知し、住宅内に設置された表示、表音器で異常の発生を報知する技術が提案されている（例えば、特許文献３参照）。
【先行技術文献】
【特許文献】
【０００６】
【特許文献１】特開２００４−９３００９号公報
【特許文献２】特開２０１６−１２５６６５号公報
【特許文献３】特開２００２−１５３８５号公報
【発明の概要】
【発明が解決しようとする課題】
【０００７】
しかし、特許文献２に記載の技術では、入浴しようとする人が浴室内の温度を認識できたとしても、どのような運転を選択すればよいか判らなかった。
【０００８】
また、特許文献３に記載の技術では、異常が発生しなければ報知が行われず、遠隔地にいる人が状態を把握することができなかった。
【０００９】
本発明は、このような課題を解決するためなされたもので、浴室内の温度に応じた運転を行えるようにしたサニタリ空調装置、遠隔地にいる人が状態を把握できるようにしたサニタリ空調装置を提供することを目的とする。
【課題を解決するための手段】
【００１０】
上述した課題を解決するため、本発明は、浴室の温度を検知する温度検知手段と、温度検知手段で検知した浴室の温度に基づく温度情報を表示する温度表示部及び温度情報に基づく操作を誘導する操作誘導部とを有する操作手段とを備えたサニタリ空調装置である。
【００１１】
本発明では、温度表示部及び操作誘導部を確認することで、浴室の温度に応じてどのような操作を行えばよいか認識可能となる。
【００１２】
また、本発明は、コミュニケーションボタン及び外部の通信ネットワークに接続される通信手段を有する操作手段と、コミュニケーションボタンが操作されたと判断すると、通信手段を介して、外部の通信ネットワークに接続される予め設定された外部端末装置に、コミュニケーションボタンが操作された旨を通知する制御手段とを備えたサニタリ空調装置である。
【００１３】
本発明では、コミュニケーションボタンが操作されると、外部端末装置に通知される。
【発明の効果】
【００１４】
本発明によれば、浴室内の温度に応じた運転を、利用者が容易に選択することができる。また、遠隔地にいる人が状態を把握できる。
【図面の簡単な説明】
【００１５】
【図１Ａ】本実施の形態の浴室換気乾燥暖房機及び浴室換気乾燥暖房機を備えた住宅の一例を示す機能ブロック図である。
【図１Ｂ】本実施の形態の浴室換気乾燥暖房機及び浴室換気乾燥暖房機を備えた住宅の一例を示す機能ブロック図である。
【図１Ｃ】浴室換気乾燥暖房機を備えた浴室等のサニタリ室の一例を示す構成図である。
【図２Ａ】浴室換気乾燥暖房機の操作部の一例を示す構成図である。
【図２Ｂ】浴室換気乾燥暖房機の操作部の一例を示す構成図である。
【図２Ｃ】浴室換気乾燥暖房機の操作部の一例を示す構成図である。
【図２Ｄ】浴室換気乾燥暖房機の操作部の一例を示す構成図である。
【図２Ｅ】浴室換気乾燥暖房機の操作部の一例を示す構成図である。
【図２Ｆ】浴室換気乾燥暖房機の操作部の一例を示す構成図である。
【図３Ａ】外部端末装置の表示例を示す説明図である。
【図３Ｂ】外部端末装置の表示例を示す説明図である。
【図３Ｃ】外部端末装置の表示例を示す説明図である。
【図３Ｄ】外部端末装置の表示例を示す説明図である。
【図３Ｅ】外部端末装置の表示例を示す説明図である。
【発明を実施するための形態】
【００１６】
以下、図面を参照して、本発明のサニタリ装置の一例である換気、乾燥、暖房等の空調機能を有する浴室空調装置としての浴室換気乾燥暖房機の実施の形態について説明する。
【００１７】
＜本実施の形態の浴室換気乾燥暖房機の構成例＞
図１Ａ、図１Ｂは、本実施の形態の浴室換気乾燥暖房機及び浴室換気乾燥暖房機を備えた住宅の一例を示す機能ブロック図、図１Ｃは、浴室換気乾燥暖房機を備えた浴室等のサニタリ室の一例を示す構成図、図２Ａ〜図２Ｆは、浴室換気乾燥暖房機の操作部の一例を示す構成図である。
【００１８】
図１Ａに示す浴室換気乾燥暖房機１Ａは、インターネット等の外部の通信ネットワークと接続しない実施の形態を示し、図１Ｂに示す浴室換気乾燥暖房機１Ｂは、インターネット等の外部の通信ネットワーク３００と接続する実施の形態を示す。
【００１９】
浴室換気乾燥暖房機１Ａ、１Ｂを備えた住宅２００は、浴室２０１、洗面所２０２、トイレ２０３等のサニタリ室２００Ａを有する。サニタリ室２００Ａは、図１Ｃに示すように、浴室２０１と洗面所２０２が隣接する構成となっているものが多く、ドア２０１ｄの開閉で洗面所２０２から浴室２０１への出入りが可能である。
【００２０】
浴室換気乾燥暖房機１Ａ、１Ｂは、浴室２０１の天井や壁に設置される。また、浴室換気乾燥暖房機１Ａは、運転モードの選択等の利用者の操作を受け、利用者の操作に基づく制御情報を出力する操作部１０Ａを備える。操作部１０Ａは操作手段の一例で、浴室換気乾燥暖房機１Ａと独立して洗面所２０２に設けられ、有線または無線で浴室換気乾燥暖房機１Ａと接続される。浴室換気乾燥暖房機１Ｂは、運転モードの選択等の利用者の操作を受け、利用者の操作に基づく制御情報を出力する操作部１０Ｂ（１０Ｂ１〜１０Ｂ５）を備える。操作部１０Ｂは操作手段の一例で、浴室換気乾燥暖房機１Ｂと独立して洗面所２０２に設けられ、有線または無線で浴室換気乾燥暖房機１Ｂと接続される。
【００２１】
操作部１０Ａ、１０Ｂは、運転モードの選択を行う運転モードボタン１１を備える。操作部１０Ａは、運転モードボタン１１として、図２Ａに示すように、暖房運転モードの実行の有無を選択する暖房運転モード選択ボタン１１ａと、換気運転モードの実行の有無を選択する換気運転モード選択ボタン１１ｂと、乾燥運転モードの実行の有無を選択する乾燥運転モード選択ボタン１１ｃと、涼風運転モードの実行の有無を選択する涼風運転モード選択ボタン１１ｄを備える。また、操作部１０Ａは、運転モードボタン１１として、２４時間換気運転モードの実行の有無を選択する２４時間換気運転モード選択ボタン１１ｅと、運転を停止する停止ボタン１１ｆと、運転を開始、停止する時間を指定するタイマー切替ボタン１１ｇを備える。
【００２２】
また、操作部１０Ａは、各運転モードボタン１１で選択された運転モード、風量等を示すランプ、図示しないが、英数字等を表示する７セグメントディスプレイ、液晶、有機ＥＬディスプレイ等で構成される表示部１１ｈを備える。
【００２３】
更に、操作部１０Ａは、浴室２０１内の温度に基づく温度情報を表示する温度表示部１１ｉと、温度情報に応じた操作を誘導する操作誘導部１１ｊを備える。温度表示部１１ｉは、具体的な温度を示す数字ではなく、「低い」、「適温」、「高い」等、入浴に適するか否かが一読して判るような文言で温度情報を表示する。なお、温度表示部１１ｉは、文言の表示と数字の表示を併記しても良い。
【００２４】
操作誘導部１１ｊは、浴室２０１内の温度が「低い」場合、浴室２０１内の温度を上げるため、例えば暖房運転の操作を行うよう操作を誘導する文言が表示される。また、浴室２０１内の温度が「高い」場合、浴室２０１内の温度を下げるため、例えば涼風運転の操作を行うよう操作を誘導する文言が表示される。更に、浴室２０１内の温度が「適温」である場合に、入浴を促す文言が表示される。
【００２５】
更に、インターネット等の外部の通信ネットワーク３００と接続する実施の形態の浴室換気乾燥暖房機１Ｂでは、操作部１０Ｂは、浴室換気乾燥暖房機１Ｂを使用する住宅２００の居住者と、外部との間で所定のコミュニケーションを図るコミュニケーションボタン１２（１２Ａ〜１２Ｄ）を備える。
【００２６】
図２Ｂに示す操作部１０Ｂ１、図２Ｃに示す操作部１０Ｂ２に備えたコミュニケーションボタン１２Ａは、住宅２００の居住者等が入浴する際に操作するボタンである。なお、浴室換気乾燥暖房機１Ｂでは、図２Ｃ〜図２Ｆに示すように、温度表示部１１ｉと操作誘導部１１ｊを備えない構成としても良い。
【００２７】
図２Ｄに示す操作部１０Ｂ３に備えたコミュニケーションボタン１２Ｂ１、１２Ｂ２は、住宅２００の居住者等が起床、就寝の挨拶をする際に操作するボタンである。起床、就寝の挨拶をする際に操作するコミュニケーションボタン１２Ｂ１、１２Ｂ２を備えた操作部１０Ｂ３では、コミュニケーション情報表示部１１ｋを備えても良い。コミュニケーション情報表示部１１ｋとして操作部１０Ｂ３に備えたコミュニケーション情報表示部１１ｋ１、１１ｋ２は、起床、就寝の挨拶に対する返信の文言、返信があったことを通知するランプ等で構成される。
【００２８】
図２Ｅに示す操作部１０Ｂ４に備えたコミュニケーションボタン１２Ｃは、住宅２００の居住者等が外出する際に操作するボタンである。
【００２９】
操作部１０Ｂ１〜１０Ｂ４は、運転モードボタン１１として、暖房運転モード選択ボタン１１ａ、換気運転モード選択ボタン１１ｂ、乾燥運転モード選択ボタン１１ｃ、涼風運転モード選択ボタン１１ｄ、２４時間換気運転モード選択ボタン１１ｅ、停止ボタン１１ｆ、タイマー切替ボタン１１ｇを備える。また、各運転モードボタン１１で選択された運転モード等を表示する表示部１１ｈを備える。
【００３０】
これに対し、図２Ｆに示す操作部１０Ｂ５に備えたコミュニケーションボタン１２Ｄは、住宅２００の居住者等が入浴する際に操作するボタンであり、かつ、暖房運転モード選択ボタンと涼風運転モード選択ボタンの機能を兼ねる。このため、操作部１０Ｂ５は、暖房運転モード選択ボタンと涼風運転モード選択ボタン、及び、それに対応した表示部は備えていない。また、暖房運転モード選択ボタン１１ａ等の運転モードボタン１１でコミュニケーションボタン１２の機能を兼用しても良い。
【００３１】
浴室換気乾燥暖房機１Ａ、１Ｂは、浴室２０１から空気を吸い込んで、屋外に排気する換気手段としての換気ファン１３ａと、浴室２０１から空気を吸い込み、吸い込んだ空気を循環させて浴室２０１に吹き出す送風手段としての循環ファン１３ｂを備える。なお、浴室２０１内の空気の循環と、屋外への排気を行う機能を、２つのファンで行う構成でも良く、また、１つのファンと風路を切り替えるダンパで行う構成としても良い。換気ファン１３ａは、図１Ｂに示すダクト１００ｄで屋外と接続される。また、浴室換気乾燥暖房機１は、循環ファン１３ｂで浴室２０１に吹き出される空気を加熱する加熱手段としてのヒータ１３ｃを備える。
【００３２】
浴室換気乾燥暖房機１Ａ、１Ｂは、浴室２０１の温度を検出する温度センサ１４ａを備える。温度センサ１４ａは温度検知手段の一例で、例えば、循環ファン１３ｂの図示しない吸込口に設けられ、循環ファン１３ｂで吸い込まれる浴室２０１内の空気の温度を検知する。また、浴室換気乾燥暖房機１Ａ、１Ｂは、浴室２０１の湿度を検出する湿度センサ１４ｂを備えても良い。
【００３３】
更に、インターネット等の外部の通信ネットワーク３００と接続する実施の形態の浴室換気乾燥暖房機１Ｂは、洗面所２０２の温度を検出する温度センサ２２ａを備えても良い。温度センサ２２ａは温度検知手段の一例で、操作部１０Ｂに設ける構成でも良いし、洗面所２０２の壁、天井等に設ける構成でも良い。なお、浴室換気乾燥暖房機１Ｂは、洗面所２０２の湿度を検出する湿度センサ２２ｂを操作部１０Ｂ等に備えても良い。
【００３４】
また、浴室換気乾燥暖房機１Ｂは、人の有無を検知する人検知センサ１５ａを備える。人検知センサ１５ａは人検知手段の一例で、人感センサ、赤外線センサ、集音マイク等で構成される。人検知センサ１５ａは、例えば、浴室換気乾燥暖房機１Ｂのフロントパネル１００ｆに設けられ、浴室換気乾燥暖房機１Ｂが設置された浴室２０１における人の有無を検知する。
【００３５】
更に、浴室換気乾燥暖房機１Ｂは、洗面所２０２に人検知センサ１５ｂを備えても良い。人検知センサ１５ｂは上述した人検知手段の一例で、操作部１０に設ける構成でも良いし、洗面所２０２の壁、天井等に設ける構成でも良く、洗面所２０２における人の有無を検知する。
【００３６】
浴室換気乾燥暖房機１Ａ、１Ｂは、換気ファン１３ａ、循環ファン１３ｂ及びヒータ１３ｃ等を制御する本体制御部１６ａを備える。本体制御部１６ａは制御手段の一例で、浴室換気乾燥暖房機１Ａでは、操作部１０Ａから入力された制御情報、温度センサ１４ａから入力された浴室２０１の温度情報に基づき、暖房運転モード、換気運転モード、乾燥運転モード及び涼風運転モードを実行する。浴室換気乾燥暖房機１Ｂでは、操作部１０Ｂから入力された制御情報、温度センサ１４ａ、湿度センサ１４ｂから入力された浴室２０１の温湿度情報、温度センサ２２ａ、湿度センサ２２ｂから入力された洗面所２０２の温湿度情報、人検知センサ１５ａ、１５ｂから入力された人検知情報等に基づき、暖房運転モード、換気運転モード、乾燥運転モード及び涼風運転モードを実行する。
【００３７】
浴室換気乾燥暖房機１Ａ、１Ｂは、操作部１０Ａ、１０Ｂに操作部制御部１６ｂを備える。操作部制御部１６ｂは制御手段の一例で、上述した各選択ボタンの操作等により操作部１０Ａ、１０Ｂで取得、生成した制御情報を本体制御部１６ａに出力する。
【００３８】
浴室換気乾燥暖房機１Ｂは、インターネット等の外部の通信ネットワーク３００と通信を行う通信部１７を操作部１０Ｂに備える。通信部１７は通信手段の一例で、有線または無線で通信ネットワーク３００と接続される。
【００３９】
浴室換気乾燥暖房機１Ｂは、報知手段としてブザー、スピーカ等、音を出力する音出力部１９ａを備えても良い。音出力部１９ａは、浴室換気乾燥暖房機１Ｂに備えても良いし、浴室換気乾燥暖房機１Ｂとは独立して浴室２０１の天井や壁に備えても良い。更に、浴室換気乾燥暖房機１Ｂは、報知手段としてブザー、スピーカ等、音を出力する音出力部１９ｂを操作部１０Ｂに備えても良い。
【００４０】
また、浴室換気乾燥機１Ｂは、浴室２０１に設けた浴室照明２０１ａの点灯と消灯を、人の操作で切り替える使用者操作浴室照明スイッチ２１ａと、本体制御部１６ａが接続されていても良く、使用者操作浴室照明スイッチ２１ａが操作されたことを本体制御部１６ａで検知できるようにしても良い。更に、浴室換気乾燥暖房機１Ｂは、浴室照明２０１ａの点灯と消灯を切り替える浴室照明スイッチ２１ｂと、本体制御部１６ａが接続されていても良く、本体制御部１６ａの制御で浴室照明２０１ａの点灯、消灯をできるようにしても良い。通常、使用者操作浴室照明スイッチ２１ａは洗面所２０２に設けられるが、浴室照明スイッチ２１ｂは、使用者操作浴室照明スイッチ２１ａによるＯＮ、ＯＦＦによらず、浴室照明２０１ａの点灯と消灯が可能に構成される。
【００４１】
また、浴室換気乾燥機１Ｂは、洗面所２０２に設けた図示しない洗面所照明の点灯と消灯を、人の操作で切り替える使用者操作洗面所照明スイッチ２０２ａと、本体制御部１６ａが接続されていても良く、使用者操作洗面所照明スイッチ２０２ａが操作されたことを本体制御部１６ａで検知できるようにしても良い。
【００４２】
また、浴室換気乾燥機１Ｂは、洗面所２０２に設けた図示しない洗面所照明の点灯と消灯を、人の操作で切り替える使用者操作洗面所照明スイッチ２０２ａと、本体制御部１６ａが接続されていても良く、使用者操作洗面所照明スイッチ２０２ａが操作されたことを本体制御部１６ａで検知できるようにしても良い。
【００４３】
また、浴室換気乾燥機１Ｂは、トイレ２０３に設けた図示しないトイレ照明の点灯と消灯を、人の操作で切り替える使用者操作トイレ照明スイッチ２０３ａと、本体制御部１６ａが接続されていても良く、使用者操作トイレ照明スイッチ２０３ａが操作されたことを本体制御部１６ａで検知できるようにしても良い。
【００４４】
更に、トイレ２３に設けた図示しない換気扇を作動させるトイレ換気スイッチ２０３ｂと、本体制御部１６ａが接続されていても良く、トイレ換気スイッチ２０３ｂが操作されたことを本体制御部１６ａで検知できるようにしても良い。い。
【００４５】
＜本実施の形態の浴室換気乾燥暖房機の動作例＞
次に、浴室換気乾燥暖房機１Ａ、１Ｂの動作例について説明する。まず、暖房運転モード、換気運転モード、乾燥運転モード及び涼風運転モードについて説明する。
【００４６】
浴室換気乾燥暖房機１Ａ、１Ｂの本体制御部１６ａは、操作部１０Ａ、１０Ｂで暖房運転モード選択ボタン１１ａが操作されることで暖房運転モードが選択され、操作部制御部１６ｂから制御情報が入力されると、循環ファン１３ｂ及びヒータ１３ｃを制御して、浴室２０１内に加熱された空気を吹き出す暖房運転を行う。暖房運転では、温度センサ１４ａで検知した浴室２０１内の温度に基づき、循環ファン１３ｂの風量、ヒータ１３ｃの出力が制御される。なお、温度センサ２２ａで検知した洗面所２０２内の温度に基づき、循環ファン１３ｂの風量、ヒータ１３ｃの出力が制御されても良い。
【００４７】
また、本体制御部１６ａは、操作部１０Ａ、１０Ｂで換気運転モード選択ボタン１１ｂが操作され、換気運転モードが選択されると、換気ファン１３ａを制御して、浴室２０１内の空気を屋外に排気する換気運転を行う。換気運転では、湿度センサ１４ｂで検知した浴室２０１内の湿度に基づき、浴室２０１内の湿度が所定の値となるように、換気ファン１３ａの風量を制御しても良い。なお、湿度センサ２２ｂで検知した洗面所２０２内の湿度に基づき、換気ファン１３ａの風量を制御しても良い。また、トイレ換気スイッチ２０３ｃでトレイ２０３の図示しない換気扇が作動していることを検知すると、過換気とならないように、換気ファン１３ａの風量を制御しても良い。なお、本体制御部１６ａは、操作部１０Ａ、１０Ｂで２４時間換気運転モード選択ボタン１１ｅが操作され、２４時間換気運転モードが選択されると、所定の換気風量となるように換気ファン１３ａを制御して、浴室２０１内の空気を屋外に排気する換気運転を行う。
【００４８】
更に、本体制御部１６ａは、操作部１０Ａ、１０Ｂで乾燥運転モード選択ボタン１１ｃが操作され、乾燥運転モードが選択されると、換気ファン１３ａ、循環ファン１３ｂ及びヒータ１３ｃを制御して、浴室２０１内に加熱された空気を吹き出しながら、浴室２０１内の空気を屋外に排気する乾燥運転を行う。換気運転では、湿度センサ１４ｂで検知した浴室２０１内の湿度に基づき、浴室２０１内の湿度が所定の値となるように、換気ファン１３ａ、循環ファン１３ｂの風量及びヒータ１３ｃの出力を制御しても良い。なお、湿度センサ２２ｂで検知した洗面所２０２内の湿度に基づき、換気ファン１３ａ、循環ファン１３ｂの風量及びヒータ１３ｃの出力を制御しても良い。
【００４９】
また、本体制御部１６ａは、操作部１０Ａ、１０Ｂで涼風運転モード選択ボタン１１ｄが操作され、涼風運転モードが選択されると、循環ファン１３ｂを制御して、浴室２０１内に室温に応じた空気を吹き出す涼風運転を行う。
【００５０】
運転が停止している状態、または、２４時間換気運転モードが実行されている状態で、本体制御部１６ａは、温度センサ１４ａで浴室２０１の温度を取得する。温度センサ１４ａで取得した浴室２０１の温度が、予め設定された「低い」、「適温」、「高い」の何れに相当するか判断し、操作部１０Ａ、１０Ｂの図２Ａ、図２Ｂに示す浴室温度表示部１１ｉに表示する。本例では、対応する温度域のランプを点灯させる。
【００５１】
住宅２００の居住者等、入浴をしようとする人は、操作部１０Ａ、１０Ｂの浴室温度表示部１１ｉを見ることで、浴室２０１の温度が本例では「低い」、「適温」、「高い」の何れかであるか認識する。そして、操作誘導部１１ｊを参照することで、浴室２０１内の温度が「低い」場合、暖房運転モード選択ボタン１０ａの操作を選択する。また、浴室２０１内の温度が「高い」場合、涼風運転モード選択ボタン１０ｄの操作を選択する。更に、浴室２０１内の温度が「適温」である場合に、入浴することを選択する。なお、本体制御部１６ａは、温度センサ１４ａで浴室２０１の温度を取得し、操作部１０Ａ、１０Ｂでの操作によらず、浴室２０１の温度に応じて暖房運転、涼風運転等を行っても良い。
【００５２】
図３Ａ〜図３Ｅは、外部端末装置の表示例を示す説明図で、次に、コミュニケーションボタン１２の操作による動作例について説明する。外部端末装置３０１は、コミュニケーションボタン１２の操作に応じた入出力が可能な表示を行うアプリケーションがインストールされている。
【００５３】
運転モードボタン１１でコミュニケーションボタン１２の機能を兼用している場合、例えば、暖房運転モード選択ボタン１１ａが操作されると、本体制御部１６ａは、通信ネットワーク３００に接続されたスマートフォン等の外部端末装置３０１に通知を行う。
【００５４】
浴室換気乾燥暖房機１Ｂは、住宅２００の居住者に関係する親族が所有する外部端末装置３０１に割り当てられた識別情報、メールアドレス等が登録される。これにより、暖房運転モード選択ボタン１１ａが操作されると、住宅２００の居住者に関係する親族が所有する外部端末装置３０１に、暖房運転モード選択ボタン１１ａが操作されたことが通知される。
【００５５】
暖房運転モード選択ボタン１１ａが操作されたことが通知された外部端末装置３０１は、図３Ａに示すように、暖房運転モード選択ボタン１１ａが操作されたことを示す運転情報３０２ａを例えば文言で表示する。また、暖房運転の開始時刻を示す時刻情報３０２ｂを併せて表示しても良い。なお、他の運転モードボタン１１が押された場合も同様である。
【００５６】
図２Ｂ、図２Ｃに示す入浴に関連したコミュニケーションボタン１２Ａが操作されると、住宅２００の居住者に関係する親族が所有する外部端末装置３０１に、入浴を開始する際の操作が行われたことが通知される。
【００５７】
入浴に関連したコミュニケーションボタン１２Ａが操作されたことが通知された外部端末装置３０１は、図３Ｂに示すように、入浴を開始する際の操作が行われたことを示す運転情報３０３ａを例えば文言で表示する。また、入浴時間を示す時間情報３０３ｂを併せて表示しても良い。
【００５８】
なお、入浴を終了した際には、再度入浴に関連したコミュニケーションボタン１２Ａが操作されると、住宅２００の居住者に関係する親族が所有する外部端末装置３０１に、入浴を終了する際の操作が行われたことが通知されるようにしても良い。そして、入浴を終了する際の操作が行われたことが通知されるまで、時間情報３０３ｂが更新されるようにしても良く、入浴時間に応じて注意を喚起する情報を表示しても良い。
【００５９】
また、入浴に関連したコミュニケーションボタン１２Ａが操作された後、使用者操作浴室照明スイッチ２１ａが操作され、浴室照明２０１ａが消灯されたことを検知すると、住宅２００の居住者に関係する親族が所有する外部端末装置３０１に、入浴を終了する際の操作が行われたことが通知されるようにしても良い。そして、入浴に関連したコミュニケーションボタン１２Ａが操作された後、入浴を終了する際の操作が行われたことを所定時間が経過しても検知できない場合は、異常が発生している恐れがあるため、住宅２００の居住者に関係する親族が所有する外部端末装置３０１に異常発生情報を通知しても良い。
【００６０】
更に、入浴に関連したコミュニケーションボタン１２Ａを操作することが忘れられることを防止するため、操作部１０Ｂ等に設けた人検知センサ１５ｂで洗面所２０２に人が居ることを検知すると、入浴前に入浴に関連したコミュニケーションボタン１２Ａを操作することを促す文言を、操作部１０Ｂ等に設けた音出力部１９ｂで洗面所２０２に出力しても良い。
【００６１】
また、使用者操作浴室照明スイッチ２１ａが操作され、浴室照明２０１ａが点灯したことを検知すると、入浴前に入浴に関連したコミュニケーションボタン１２Ａを操作することを促す文言を音出力部１９ｂで洗面所２０２に出力しても良い。使用者操作浴室照明スイッチ２１ａに入浴に関連したコミュニケーションボタン１２Ａの機能を持たせ、使用者操作浴室照明スイッチ２１ａが操作されると、住宅２００の居住者に関係する親族が所有する外部端末装置３０１に、入浴を開始する際の操作が行われたことが通知されるようにしても良い。
【００６２】
更に、人検知センサ１５ｂで洗面所２０２に人が居なくなったことを検知し、浴室換気乾燥暖房機１Ｂ等に設けた人検知センサ１５ａで浴室２０１に人が居ることを検知すると、入浴前に入浴に関連したコミュニケーションボタン１２Ａを操作することを促す文言を、浴室換気乾燥暖房機１Ｂ等に設けた音出力部１９ａで浴室２０１に出力しても良い。また、人検知センサ１５ａ、人検知センサ１５ｂに入浴に関連したコミュニケーションボタン１２Ａの機能を持たせ、浴室２０１に人が居ること、または、洗面所２０２に人が居ることが検知されると、住宅２００の居住者に関係する親族が所有する外部端末装置３０１に、入浴を開始する際の操作が行われたことが通知されるようにしても良い。更に、住宅の居住者にＩＣタグを持たせておき、浴室換気乾燥暖房機１Ｂ、操作部１０Ｂに人検知手段としてＩＣタグの読取機を備えて、ＩＣタグを読取機が検知すると、住宅２００の居住者に関係する親族が所有する外部端末装置３０１に、入浴を開始する際の操作が行われたことが通知されるようにしても良い。
【００６３】
また、図２Ｂ、図２Ｃに示す入浴に関連したコミュニケーションボタン１２Ａが操作されると、本体制御部１６ａは、温度センサ１４ａで検知した浴室２０１の温度に基づき、浴室２０１の温度が所定の閾値より低い場合は、暖房運転の実行を促す文言等の注意情報を、操作部１０Ｂ等に設けた音出力部１９ｂで洗面所２０２に出力しても良い。
【００６４】
入浴に関連したコミュニケーションボタン１２Ａが操作されたことが通知された外部端末装置３０１では、外部端末装置３０１で浴室換気乾燥暖房機１Ｂを遠隔操作できるようにしても良い。
【００６５】
例えば、入浴に関連したコミュニケーションボタン１２Ａが操作されると、温度センサ１４ａで検知した浴室２０１の温度、湿度センサ１４ｂで検知した浴室２０１の湿度が、住宅２００の居住者に関係する親族が所有する外部端末装置３０１に通知される。また、浴室換気乾燥暖房機１Ｂで実行している運転モードが外部端末装置３０１に通知される。
【００６６】
外部端末装置３０１は、図３Ｃに示すように、浴室２０１の温湿度情報３０４ａ、実行している運転モード情報３０４ｂ、運転モードボタン３０４ｃ等が表示される。外部端末装置３０１で運転モードボタン３０４ｃが操作されると、操作された運転モードボタン３０４ｃに応じた制御情報が外部端末装置３０１から浴室換気乾燥暖房機１Ｂに送信される。そして、浴室換気乾燥暖房機１Ｂの本体制御部１６ａは、外部端末装置３０１から受信した制御情報に従い、換気ファン１３ｃ、循環ファン１３ｂ及びヒータ１３ｃ等を制御する。
【００６７】
なお、入浴者に浴室換気乾燥暖房機１Ｂの運転を開始したこと、運転モードを変更したことを通知するため、遠隔操作で運転を開始したこと、運転モードを変更したことを示す文言を、浴室換気乾燥暖房機１Ｂ等に設けた音出力部１９ａで浴室２０１に出力しても良い。また、意図しない浴室換気乾燥暖房機１Ｂの運転を防止するため、入浴に関連したコミュニケーションボタン１２Ａが操作されたことが通知された外部端末装置３０１でのみ、浴室換気乾燥暖房機１Ｂを遠隔操作できるようにしても良い。
【００６８】
また、温度センサ１４ａで検知した浴室２０１の温度、湿度センサ１４ｂで検知した浴室２０１の湿度、温度センサ２２ａで検知した洗面所２０２の温度、湿度センサ２２ｂで検知した洗面所２０２の湿度、浴室換気乾燥暖房機１Ｂで実行している運転モード等が、サーバ３１０に通知される。
【００６９】
住宅２００の居住者に関係する親族が所有する外部端末装置３０１から、サーバ３１０にアクセスすることで、図３Ｄに示すように、予め設定された浴室換気乾燥暖房機１Ｂの運転等に関する詳細情報が表示されるサイト画面３０５ａが開く。サイト画面３０５ａでは、浴室２０１の温湿度情報、実行している運転モード情報、入浴時間、洗面所２０２の温湿度情報等が表示される。なお、外部端末装置３０１を操作する住宅２００の居住者に関係する親族等の注意を喚起するため、例えば入浴時間等の時間情報を、時間の経過に合わせて色を変えて表示する、文言だけではな画像表示する等を行っても良い。
【００７０】
図２Ｄに示す挨拶に関連したコミュニケーションボタン１２Ｂ１、１２Ｂ２が操作されると、住宅２００の居住者に関係する親族が所有する外部端末装置３０１に、挨拶に関連する操作が行われたことが通知される。
【００７１】
挨拶に関連したコミュニケーションボタン１２Ｂ１、１２Ｂ２が操作されたことが通知された外部端末装置３０１は、図３Ｅに示すように、操作されたコミュニケーションボタン１２Ｂ１、１２Ｂ２の内容に応じた挨拶情報３０６ａを例えば文言で表示する。また、挨拶情報３０６ａに対する返信を行えるようにするため、挨拶選択ボタン３０６ｂを併せて表示しても良い。
【００７２】
外部端末装置３０１で所望の挨拶選択ボタン３０６ｂが操作されると、選択された挨拶選択ボタン３０６ｂに応じた制御情報が外部端末装置３０１から浴室換気乾燥暖房機１Ｂに送信される。そして、浴室換気乾燥暖房機１Ｂの本体制御部１６ａ及び操作部制御部１６ｂは、外部端末装置３０１から受信した制御情報に従い、図２Ｄに示す操作部１０Ｂ３に備えたコミュニケーション情報表示部１１ｋ１、１１ｋ２の対応する何れかのランプを点させる。なお、選択された挨拶選択ボタン３０６ｂに応じた文言を、操作部１０Ｂ等に設けた音出力部１９ｂで洗面所２０２に出力しても良い。
【００７３】
なお、図２Ｂ、図２Ｃに示す入浴に関連したコミュニケーションボタン１２Ａが操作されると、本体制御部１６ａは、温度センサ１４ａで検知した浴室２０１の温度、湿度センサ１４ｂで検知した浴室２０１の湿度等に基づき、換気ファン１３ｃ、循環ファン１３ｂ及びヒータ１３ｃ等を制御して、暖房運転モード、あるいは、涼風運転モードを実行しても良い。暖房運転モードが入浴前暖房運転モードと入浴中暖房運転モードに切り替えられる構成では、入浴前暖房運転モードの実行中に入浴に関連したコミュニケーションボタン１２Ａが操作されると、入浴中暖房運転モードに切り替えてもよい。また、２４時間換気運転モードが実行されている場合は、２４時間換気運転モードを一時停止する。更に、図２Ｂ、図２Ｃに示す入浴に関連したコミュニケーションボタン１２Ａが操作されると、本体制御部１６ａは、浴室照明スイッチ２１ｂを制御して、浴室照明２０１ａを点灯させても良い。
【００７４】
また、図２Ｄに示す挨拶に関連したコミュニケーションボタン１２Ｂ１、１２Ｂ２で、就寝に関連したコミュニケーションボタン１２Ｂ２が操作されると、本体制御部１６ａは、温度センサ１４ａで検知した浴室２０１の温度、湿度センサ１４ｂで検知した浴室２０１の湿度等に基づき、換気ファン１３ｃ、循環ファン１３ｂ及びヒータ１３ｃ等を制御して、換気運転モード、あるいは、乾燥運転モードを実行しても良い。
【００７５】
更に、図２Ｃに示す外出に関連したコミュニケーションボタン１２Ｃが操作されると、本体制御部１６ａは、温度センサ１４ａで検知した浴室２０１の温度、湿度センサ１４ｂで検知した浴室２０１の湿度等に基づき、換気ファン１３ｃ、循環ファン１３ｂ及びヒータ１３ｃ等を制御して、換気運転モード、あるいは、乾燥運転モードを実行しても良い。
【００７６】
また、図２Ｆに示す入浴に関連したコミュニケーションボタン１２Ｄが操作されると、本体制御部１６ａは、温度センサ１４ａで検知した浴室２０１の温度、湿度センサ１４ｂで検知した浴室２０１の湿度等に基づき、換気ファン１３ｃ、循環ファン１３ｂ及びヒータ１３ｃ等を制御して、暖房運転モード、あるいは、涼風運転モードを実行する。また、２４時間換気運転モードが実行されている場合は、２４時間換気運転モードを一時停止する。
【００７７】
なお、運転モードボタン１１の操作の有無、コミュニケーションボタン１２の操作の有無のみならず、使用者操作浴室照明スイッチ２１ａの操作の有無、使用者操作洗面所照明スイッチ２０２ａの操作の有無、使用者操作トイレ照明スイッチ２０３ａの操作の有無、トイレ換気スイッチ２０３ｂの操作の有無を、住宅２００の居住者に関係する親族以外の管理者、管理会社等の外部端末装置３０１に通知しても良い。
【００７８】
＜本実施の形態の浴室換気乾燥暖房機の効果例＞
操作部１０Ａ、１０Ｂに図２Ａ、図２Ｂに示す浴室温度表示部１１ｉを備え、住宅２００の居住者等、入浴をしようとする人は、操作部１０Ａ、１０Ｂの浴室温度表示部１１ｉを見ることで、浴室２０１の温度を認識し、操作誘導部１１ｊを参照することで、浴室２０１内の温度に応じた操作を選択することができる。
【００７９】
また、操作部１０Ｂに備えたコミュニケーションボタン１２が操作されると、コミュニケーションボタン１２に割り当てられた内容に応じた通知が外部端末装置３０１に通知されるので、住宅２００の居住者の親族等が遠隔地にいる場合でも、状態を把握できる。また、操作部１０Ｂ３のように、コミュニケーションボタン１２Ｂ１、１２Ｂ２とコミュニケーション情報表示部１１ｋ１、１１ｋ２を備えることで、双方向のコミュニケーションが可能となる。
【符号の説明】
【００８０】
１Ａ、１Ｂ・・・浴室換気乾燥暖房機、１０Ａ、１０Ｂ・・・操作部（操作手段）、１１ｉ・・・浴室温度表示部（温度表示部）、１１ｊ・・・操作誘導部、１１・・・運転モードボタン、１２・・・コミュニケーションボタン、１３ａ・・・換気ファン、１３ｂ・・・循環ファン、１３ｃ・・・ヒータ、１４ａ・・・温度センサ（温度検知手段）、１４ｂ・・・湿度センサ、１５ａ、１５ｂ・・・人検知センサ、１６ａ・・・本体制御部（制御手段）、１６ｂ・・・操作部制御部（制御手段）、１７・・・通信部（通信手段）、１９ａ、１９ｂ・・・音出力部、２１ａ・・・使用者操作浴室照明スイッチ、２１ｂ・・・浴室照明スイッチ、２２ａ・・・温度センサ、２２ｂ・・・湿度センサ、２００・・・住宅、２０１・・・浴室、２０１ａ・・・浴室照明
【図１Ａ】
2020186832.tif 000003
【図１Ｂ】
2020186832.tif 000004
【図１Ｃ】
2020186832.tif 000005
【図２Ａ】
2020186832.tif 000006
【図２Ｂ】
2020186832.tif 000007
【図２Ｃ】
2020186832.tif 000008
【図２Ｄ】
2020186832.tif 000009
【図２Ｅ】
2020186832.tif 000010
【図２Ｆ】
2020186832.tif 000011
【図３Ａ】
2020186832.tif 000012
【図３Ｂ】
2020186832.tif 000013
【図３Ｃ】
2020186832.tif 000014
【図３Ｄ】
2020186832.tif 000015
【図３Ｅ】
2020186832.tif 000016